(57)【要約】【課題】容易にユーザ所望の番組を選択することが可能な表示装置を実現する。【解決手段】テレビ（１）は、ユーザからの指示を受け付ける指示取得部（１３１）と、現在放送されている番組、放送予定の番組、および録画済みの番組の中から、ユーザに対する推奨番組をリモコン（２）が備える複数のカラーキーの少なくとも何れかに対応付けて抽出する番組抽出部（１３４）と、チャンネルを切り替える旨の指示を受け付けたとき、抽出した推奨番組を示す情報を表示する表示部（１５）と、を備えている。【選択図】図１
2014072584.tif 000002
【特許請求の範囲】
【請求項１】
ユーザからの指示を受け付ける指示受付手段と、
現在放送されている番組、放送予定の番組、および録画済みの番組の中から、ユーザに対する推奨番組をリモコンが備える複数のカラーキーの少なくとも何れかに対応付けて抽出する抽出手段と、
前記指示受付手段がチャンネルを切り替える旨の指示をユーザから受け付けたとき、前記抽出手段によって抽出した推奨番組を示す情報を表示する表示手段と、を備えていることを特徴とする表示装置。
【請求項２】
前記表示手段が前記推奨番組を示す情報を表示しているとき、リモコンのカラーキーのうち何れが押下されたのかを判定する判定手段を更に備え、
前記判定手段は、押下されたカラーキーに対応付けられた推奨番組が現在放送されている番組または録画済みの番組である場合、当該番組を前記表示手段に表示させ、押下されたカラーキーに対応付けられた推奨番組が放送予定の番組である場合、当該番組の視聴予約および録画予約の少なくとも何れかを行うことを特徴とする請求項１に記載の表示装置。
【請求項３】
前記表示手段が表示している番組のジャンルを示すジャンル情報を取得するジャンル情報取得手段を更に備え、
前記抽出手段は、前記ジャンル情報取得手段が取得したジャンル情報と同じジャンル情報を有した番組であって、現在放送されている番組、放送予定の番組、および録画済みの番組の中から、ユーザに対する推奨番組をリモコンが備える複数のカラーキーの少なくとも何れかに対応付けて抽出することを特徴とする請求項１または２に記載の表示装置。
【請求項４】
前記表示手段が、前記ジャンル情報取得手段が取得したジャンル情報と同じジャンル情報を有した番組であって、前記抽出手段が抽出した推奨番組を示す情報を表示しているときに、前記指示受付手段が、チャンネルを切り替える旨の指示をユーザから受け付けた場合、前記抽出手段は、現在放送されている番組、放送予定の番組、および録画済みの番組の中から、ユーザに対する推奨番組をリモコンが備える複数のカラーキーの少なくとも何れかに対応付けて抽出することを特徴とする請求項３に記載の表示装置。
【請求項５】
前記抽出手段は、リモコンが備える複数のカラーキーの何れか１つを、現在放送されている推奨番組、放送予定の推奨番組、および録画済みの推奨番組の何れを表示するモードかを切り替えるモード切替キーとして割り当て、
前記モード切替キーの押下によって、現在放送されている推奨番組を表示するモードに切り替えられたとき、現在放送されている番組の中からユーザに対する推奨番組を、前記モード切替キーとして割り当てたカラーキー以外の複数のカラーキーのうちの少なくとも何れかに対応付けて抽出し、
前記モード切替キーの押下によって、放送予定の推奨番組を表示するモードに切り替えられたとき、放送予定の番組の中からユーザに対する推奨番組を、前記モード切替キーとして割り当てたカラーキー以外の複数のカラーキーのうちの少なくとも何れかに対応付けて抽出し、
前記モード切替キーの押下によって、録画済みの推奨番組を表示するモードに切り替えられたとき、録画済みの番組の中からユーザに対する推奨番組を、前記モード切替キーとして割り当てたカラーキー以外の複数のカラーキーのうちの少なくとも何れかに対応付けて抽出する、ことを特徴とする請求項１から４の何れか１項に記載の表示装置。
【請求項６】
前記表示手段が前記推奨番組を示す情報を表示しているとき、リモコンのカラーキーのうち何れが長押しされたのかを判定する長押し判定手段を更に備え、
前記長押し判定手段によって長押しされたと判定されたとき、前記表示手段は、長押しされたカラーキーに対応付けられた推奨番組に対する番組情報を表示することを特徴とする請求項１から５の何れか１項に記載の表示装置。
【請求項７】
前記表示手段が前記推奨番組を示す情報を表示しているとき、リモコンのカラーキーのうち何れが長押しされたのかを判定する長押し判定手段を更に備え、
前記長押し判定手段によって長押しされたと判定されたとき、前記表示手段は、情報を表示した推奨番組の次に推奨する推奨番組の情報を表示することを特徴とする請求項１から５の何れか１項に記載の表示装置。
【請求項８】
ユーザからの指示を受け付ける指示受付工程と、
現在放送されている番組、放送予定の番組、および録画済みの番組の中から、ユーザに対する推奨番組をリモコンが備える複数のカラーキーの少なくとも何れかに対応付けて抽出する抽出工程と、
前記指示受付工程においてチャンネルを切り替える旨の指示をユーザから受け付けたとき、前記抽出工程において抽出した推奨番組を示す情報を表示する表示工程と、を含んでいることを特徴とする表示装置の制御方法。
【請求項９】
請求項１から７の何れか１項に記載の表示装置を備えることを特徴とするテレビジョン受像機。
【請求項１０】
請求項１から７の何れか１項に記載の表示装置を動作させるプログラムであって、コンピュータを前記各手段として機能させるためのプログラム。
【請求項１１】
請求項１０に記載のプログラムが記録されているコンピュータ読み取り可能な記録媒体。
【発明の詳細な説明】
【技術分野】
【０００１】
本発明は、カラーキーを有したリモートコントローラによって操作される表示装置および表示装置の制御方法に関する。また、本発明は、このような表示装置を備えたテレビジョン受像機、プログラムおよび記録媒体に関する。
【背景技術】
【０００２】
近年、地上デジタル放送、ＢＳデジタルやＣＳデジタル放送等の衛星デジタル放送、ＩＰ放送、ＣＡＴＶ放送等により、非常に多くのチャンネルの番組が放映されている。このような状況において、ユーザが番組を検索するための機能が提案されている。
【０００３】
例えば、特許文献１には、チャンネルを選局アップ方向またはダウン方向へ切り替えた際、切り替え先のチャンネルを含めて連続する複数のチャンネルにそれぞれ該当する番組名とそのチャンネル番号の組み合わせを表示する方法が記載されている。
【０００４】
また、特許文献２には、新たなチャンネルの選局時に、この選局されたチャンネル情報画面を直前に表示されていたチャンネル情報画面の上に一部重ねて表示するテレビ放送受信装置が記載されている。
【０００５】
また、リモートコントローラの複数のカラーキー（カラーボタン）のそれぞれに対応した画面を表示する方法が、特許文献３および４に記載されている。また、特許文献５には、電源オンした時点で、個人を特定できるよう自分が利用するカラーボタンを決めておき、当該カラーボタンに対して、個別の利用状況の設定を行う方法が記載されている。
【先行技術文献】
【特許文献】
【０００６】
【特許文献１】特開２００７−４９４９７号公報（２００７年２月２２日公開）
【特許文献２】特開２００９−１６９４４号公報（２００９年１月２２日公開）
【特許文献３】特開２００４−３３６４１４号公報（２００４年１１月２５日公開）
【特許文献４】特開２０１１−２１１４０５号公報（２０１１年１０月２０日公開）
【特許文献５】特開２００９−２３２４７２号公報（２００９年１０月８日公開）
【発明の概要】
【発明が解決しようとする課題】
【０００７】
ユーザが番組を検索する際、電子番組表（ＥＰＧ：Ｅｌｅｃｔｒｏｎｉｃ  Ｐｒｏｇｒａｍｍｉｎｇ  Ｇｕｉｄｅ）を用いた検索、ジャンル検索、番組名検索等の機能を用いて検索することが考えられる。しかし、電子番組表を用いた検索の場合、チャンネル数が増えると、番組を探し出す手間がかかってしまう。また、ジャンル検索および番組名検索の場合、ジャンルの特定や番組名の入力等の手間がかかってしまい、検索時間が増えるという問題がある。
【０００８】
また、特許文献１および２の技術では、表示された複数のチャンネルに該当する番組がユーザ所望の番組で無い場合、何度も選局を行う必要があるという問題がある。
【０００９】
本発明は、上記問題に鑑みてなされたものであり、その目的は、ユーザが容易にユーザ所望の番組を選択することが可能な表示装置を実現することにある。
【課題を解決するための手段】
【００１０】
上記の課題を解決するために、本発明の一態様に係る表示装置はユーザからの指示を受け付ける指示受付手段と、現在放送されている番組、放送予定の番組、および録画済みの番組の中から、ユーザに対する推奨番組をリモコンが備える複数のカラーキーの少なくとも何れかに対応付けて抽出する抽出手段と、前記指示受付手段がチャンネルを切り替える旨の指示をユーザから受け付けたとき、前記抽出手段によって抽出した推奨番組を示す情報を表示する表示手段と、を備えていることを特徴としている。
【００１１】
また、上記の課題を解決するために、本発明の一態様に係る表示装置の制御方法は、ユーザからの指示を受け付ける指示受付工程と、現在放送されている番組、放送予定の番組、および録画済みの番組の中から、ユーザに対する推奨番組をリモコンが備える複数のカラーキーの少なくとも何れかに対応付けて抽出する抽出工程と、前記指示受付工程においてチャンネルを切り替える旨の指示をユーザから受け付けたとき、前記抽出工程において抽出した推奨番組を示す情報を表示する表示工程と、を含んでいることを特徴としている。
【発明の効果】
【００１２】
本発明の一態様によれば、ユーザは容易にユーザ所望の番組を選択することができる。
【図面の簡単な説明】
【００１３】
【図１】本発明の実施形態１に係るテレビの構成を示すブロック図である。
【図２】本発明の実施形態１に係るテレビを操作するリモコンの一例を示す図である。
【図３】本発明の実施形態１に係るテレビにおける、おすすめ番組の表示の流れの一例を示すフローチャートである。
【図４】実施形態１に係るテレビにおける、おすすめ未来番組の表示の流れの一例を示すフローチャートである。
【図５】実施形態１に係るテレビにおける、おすすめ番組およびおすすめ未来番組の情報を表示した画面の一例を示す図である。
【図６】おすすめ番組、および／または、おすすめ未来番組の情報を表示する画面における、おすすめ番組またはおすすめ未来番組の情報を表示する部分のレイアウトの説明を行う図である。
【図７】本発明の実施形態２に係るテレビの構成を示すブロック図である。
【図８】実施形態２に係るテレビにおける、おすすめ番組の表示の流れの一例を示すフローチャートである。
【図９】実施形態２に係るテレビにおける、おすすめ未来番組の表示の流れの一例を示すフローチャートである。
【発明を実施するための形態】
【００１４】
〔実施形態１〕
本発明に係る一実施形態について、以下に説明する。本発明に係る表示装置は、テレビジョン受像機（以下、テレビと呼ぶ）として使用することができる。
【００１５】
（テレビの構成）
図１は、本発明の一実施形態に係るテレビ（表示装置）の構成を示すブロック図である。テレビ１は、図１に示すように、チューナ１１、リモコン受光部１２、制御部１３、映像出力変換部１４、表示部（表示手段）１５および記録部１６を備えている。また、テレビ１は、リモートコントローラ２（以下、リモコン２と呼ぶ）からのリモコン信号を受信可能に構成されている。
【００１６】
チューナ１１は、アンテナを介して受信する地上波デジタル放送、ＢＳ放送またはＣＳ放送の放送信号を選局するもので、選局部１３２からの選局指示に応じて受信するチャンネルの選局を行う。そして、チューナ１１は、選局したチャンネルから受信した映像信号を制御部１３に送信する。
【００１７】
リモコン受光部１２は、リモコン２からリモコン信号を受信する。リモコン信号は、例えば、赤外線などの光で受信することができるが、これに限定されるものではない。リモコン受光部１２は、受信したリモコン信号を、制御部１３に送信する。
【００１８】
制御部１３は、テレビ１内の各種構成を統括的に制御するものである。制御部１３の機能は、例えばＲＡＭ（Ｒａｎｄｏｍ  Ａｃｃｅｓｓ  Ｍｅｍｏｒｙ）やフラッシュメモリなどの記憶装置に記憶されたプログラムをＣＰＵ（Ｃｅｎｔｒａｌ  Ｐｒｏｃｅｓｓｉｎｇ  Ｕｎｉｔ）が実行することによって実現される。制御部１３の構成については、後述する。
【００１９】
映像出力変換部１４は、受信した映像データを表示部１５に表示させるための駆動回路を含む部分であり、ＯＳＤデータ作成部１３６からのＯＳＤ（オン・スクリーン・ディスプレイ）データを映像処理部１３５からの映像データに加えて、表示部１５に送る。表示部１５は、映像出力変換部１４からの映像データを画面上に表示する。
【００２０】
記録部１６は、各種データおよびプログラムを記憶するものである。記録部１６の例としては、制御部１３が動作するときに必要なプログラム等の固定データを記憶する読出し専用の半導体メモリであるＲＯＭ（Ｒｅａｄ  Ｏｎｌｙ  Ｍｅｍｏｒｙ）と、演算に使用するデータ及び演算結果等を一時的に記憶するいわゆるワーキングメモリとしてのＲＡＭとが挙げられる。また、記録部１６には、ユーザが録画を指定した番組が保存されている。
【００２１】
なお、記録部１６はテレビ１と一体とした構成ではなく、テレビ１と別個の構成としてもよい。記録部１６として、ハードディスク、ＤＶＤ等の光ディスクなどを用いてもよい。
【００２２】
（制御部１３）
次に、制御部１３について説明する。制御部１３は、図１に示すように、指示取得部（指示受付手段）１３１、選局部１３２、予約処理部１３３、番組抽出部（抽出手段、判定手段）１３４、映像処理部１３５およびＯＳＤデータ作成部１３６を備えている。
【００２３】
指示取得部１３１は、リモコン２の操作によるユーザからの指示（リモコン信号）を、リモコン受光部１２から取得する。指示取得部１３１は、取得したリモコン信号に応じて、選局部１３２、予約処理部１３３および番組抽出部１３４に通知する。例えば、指示取得部１３１は、取得したリモコン信号が選局の信号であった場合、選局されたチャンネル番号と共に選局指示を選局部１３２に通知する。また、例えば、指示取得部１３１は、取得したリモコン信号が予約処理の信号であった場合、予約指示を予約処理部１３３に通知する。また、テレビ１が番組を表示部１５の画面に表示しているとき、指示取得部１３１は、取得したリモコン信号が、選局ＵＰキー２１または選局ＤＯＷＮキー２２が押下されたことを示す信号、或いは、カラーキー２３の何れかが押下されたことを示す信号であった場合、押下されたキーを示す信号を番組抽出部１３４に通知する。
【００２４】
選局部１３２は、指示取得部１３１から通知された指示または番組抽出部１３４から通知された指示に基づいて、チューナ１１に対し、選局指示を行う。
【００２５】
予約処理部１３３は、指示取得部１３１から通知された指示または番組抽出部１３４から通知された指示に基づいて、番組の視聴予約または録画予約等の録画処理を行う。
【００２６】
番組抽出部１３４は、ユーザの視聴履歴などに基づいて、ユーザに対する推奨番組をリモコン２の複数のカラーキー（図２においては、青、赤、緑、黄のキー）の少なくとも何れかに対応付けて抽出する。ここで、推奨番組とは、現在放送されている番組、放送予定の番組および録画済みの番組の中から、ユーザに対しおすすめの番組であると指定した番組である。本実施形態においては、推奨番組のうち、現在放送されている番組を「おすすめ番組」と呼ぶ。また、例えば、現在放送されている番組が終了した後の時間帯のおすすめ番組等、今後放送予定の番組を「おすすめ未来番組」と呼ぶ。番組抽出部１３４は、現在放送されている番組および今後放送予定の番組を、チューナ１１を介して取得したＥＰＧ等から抽出するとするが、本発明はこれに限定されるものではなく、インターネット等を介して取得した番組情報から抽出してもよい。
【００２７】
番組抽出部１３４は、抽出したおすすめ番組および／またはおすすめ未来番組を示す情報と、抽出したおすすめ番組および／またはおすすめ未来番組に対応付けられたカラーキー２３の色の情報とをＯＳＤデータ作成部１３６に供給する。ここで、おすすめ番組および／またはおすすめ未来番組を示す情報とは、例えば、放送局名、番組名、当該番組の開始時刻および終了時刻、番組の冒頭の映像または放送局のロゴ、並びに、当該番組の出演者の情報等が挙げられるがこれに限定されるものではない。
【００２８】
また、番組抽出部１３４は、おすすめ番組および／またはおすすめ未来番組を示す情報を表示部に表示させているとき、指示取得部１３１からカラーキー２３の何れかが押下されたことを示す信号を取得すると、押下された色のキーに対応付けられた番組に対する操作を行うよう、選局部１３２、予約処理部１３３またはＯＳＤデータ作成部１３６に通知する。
【００２９】
映像処理部１３５は、チューナ１１から入力された映像信号に対して、例えば、ノイズリダクションの処理、シャープネスの調整、コントラストの調整等の映像処理を行う。映像処理部１３５は、映像処理を行った映像データを映像出力変換部１４に出力する。
【００３０】
ＯＳＤデータ作成部１３６は、番組抽出部１３４から供給された情報であって、おすすめ番組および／またはおすすめ未来番組を示す情報と、当該おすすめ番組および／またはおすすめ未来番組に対応付けられたカラーキー２３の色の情報とをＯＳＤ表示するためのＯＳＤデータを作成する。ＯＳＤデータ作成部１３６は、作成したＯＳＤデータを映像出力変換部１４に供給する。
【００３１】
（リモコン２）
次に、本実施形態に係るテレビ１を操作するリモコン２について、図２を参照して説明する。図２は、リモコン２の一例を示す図である。なお、図２に示すリモコン２は、一例であり、リモコン２が、図２に示されていないキーを有していてもよいことは言うまでもない。
【００３２】
図２に示すように、リモコン２は、選局アップ方向へのチャンネルの選局を行う選局ＵＰキー２１、選局ダウン方向へのチャンネルの選局を行う選局ＤＯＷＮキー２２、青、赤、緑、黄の４色のカラーキー２３等を備えている。また、リモコン２は、電源ボタン、１０キー、矢印キー、決定キー、音量キー等を備えている。なお、リモコン２は、図２に示したボタン以外にも、ＥＰＧボタン等、ＡＲＩＢ（Ａｓｓｏｃｉａｔｉｏｎ  ｏｆ  Ｒａｄｉｏ  Ｉｎｄｕｓｔｒｉｃｓ  ａｎｄ  Ｂｕｓｉｎｅｓｓｅｓ）規格に規定されているボタン（キー）を備えているとする。
【００３３】
４色のカラーキー２３は、上述したＡＲＩＢ規格に規定されている通り、左から、青、赤、緑、黄の順にリモコン２上に配置されているとするが、本発明はこれに限定されず、今後、４色以上の色に応じたカラーボタンが増設される態様であっても適用することができる。
【００３４】
（おすすめ番組の表示方法）
次に、図３を参照しておすすめ番組の表示方法について説明を行う。図３は、おすすめ番組の表示の流れの一例を示すフローチャートである。
【００３５】
図３に示すように、テレビ１が、例えば、ある番組を表示部１５の画面に表示しているときに、ユーザが選局ＵＰキー２１または選局ＤＯＷＮキー２２を押下すると、指示取得部１３１は、選局ＵＰキー２１または選局ＤＯＷＮキー２２の押下を検出する（ステップＳ３１。以下、単にＳ３１とする）（指示受付工程）。番組抽出部１３４は、指示取得部１３１から選局ＵＰキー２１または選局ＤＯＷＮキー２２が押下されたことを示す通知を受信すると、現在放送されている番組および放送予定の番組の中から、おすすめ番組およびおすすめ未来番組を、カラーキー２３の複数のキーの少なくとも何れかに対応付けて抽出する（抽出工程）。その後、ＯＳＤデータ作成部１３６は、番組抽出部１３４が抽出したおすすめ番組およびおすすめ未来番組を示す情報を、表示部１５に表示させるためのＯＳＤデータを作成し、映像出力変換部１４に作成したＯＳＤデータを送信する。映像出力変換部１４は、受信したＯＳＤデータを表示部１５に表示させる（Ｓ３２、表示工程）。
【００３６】
ここで、おすすめ番組およびおすすめ未来番組の情報を表示した画面の一例を図５および図６を参照して説明する。図５は、おすすめ番組およびおすすめ未来番組の情報を表示した画面の一例を示す図である。図６は、おすすめ番組、および／または、おすすめ未来番組の情報を表示する画面における、おすすめ番組またはおすすめ未来番組の情報を表示する部分（情報画面）のレイアウトの説明を行う図である。
【００３７】
図５に示すように、表示部１５には、野球の映像が表示されている。また、画面の下部には、左から順に、おすすめ番組Ａの情報、おすすめ番組Ｂの情報、おすすめ未来番組Ｃの情報、おすすめ未来番組Ｄの情報が表示されている。図５に示す各番組は、リモコン２のカラーキー２３の各色のキーと１対１に対応付けられている。本実施形態において、おすすめ番組Ａには、リモコン２のカラーキー２３の青キーが対応付けられており、おすすめ番組Ｂには、赤キーが対応付けられているとする。また、おすすめ未来番組Ｃには、緑キーが対応付けられており、おすすめ未来番組Ｄには黄キーが対応付けられているとする。
【００３８】
また、各番組の情報は、図６に示すレイアウトで表示されている。図６に示すように各番組を示す情報を表示した情報画面には、例えば、カラーキーマーク、放送局名、番組種類、番組名、当該番組の開始時刻および終了時刻、番組の冒頭の映像または放送局のロゴ、並びに、当該番組の出演者の情報等が表示されている。なお、図６のレイアウトは一例に過ぎず、これに限定されるものではない。また、情報画面に表示される内容はこれに限定されず、例えば、ジャンル、放送内容、ゲスト情報等の番組内容の説明を表示してもよい。また、情報が表示された番組が、おすすめ番組またはおすすめ未来番組として抽出した理由を表示してもよい。更に、テレビ１は、上記理由を太字で表示する等、チューナ１１を介して受信した内容とは異なる様態で表示することもできる。
【００３９】
カラーキーマークとは、各番組に対応付けられたカラーキー２３の色を示すマークである。各番組を示す画面には、図５に示すように、対応付けられたキーの色を示すカラーキーマークが表示されている。
【００４０】
放送局名には、番組を配信している放送局が表示されている。図５においては、ＷＷテレビ、ＸＸテレビ等が表示されている。また、放送局名には、チャンネル名が表示されてもよい。
【００４１】
番組種類には、おすすめ番組またはおすすめ未来番組であることを表す情報が表示されている。また、例えば、複数のおすすめ番組の情報が表示されている場合、おすすめの順序やおすすめ度合いを表示してもよい。例えば、図５に示すように、おすすめの順序をＡ〜Ｄのアルファベットを用いて表示してもよい。なお、図５では、表示した推奨番組の全てを対象におすすめの順序（Ａ〜Ｄ）を記載しているが、本発明はこれに限定されない。例えば、テレビ１は、おすすめ番組ごと、またはおすすめ未来番組ごとのおすすめの順序を表示してもよい。
【００４２】
なお、以降の説明において、表示部１５に表示したおすすめ番組を「おすすめ番組Ａ」、「おすすめ番組Ｂ」等と表現し、表示部１５に表示したおすすめ未来番組を「おすすめ未来番組Ｃ」、「おすすめ未来番組Ｄ」等と表現するが、単に表示部１５に表示された番組を区別して表現しているに過ぎず、Ａ〜Ｄがおすすめの順序等を表しているものではない。
【００４３】
番組名には、おすすめ番組またはおすすめ未来番組の番組名が表示されている。
【００４４】
図６に示す画面の左下の部分には、番組の冒頭の映像または放送局のロゴが表示されている。本実施形態においては、おすすめ番組の情報画面には番組の冒頭の映像が表示され、おすすめ未来番組の情報画面には、放送局のロゴが表示されているとするが、本発明はこれに限定されるものではない。例えば、番組のロゴ等が表示されてもよい。
【００４５】
なお、図５では、おすすめ番組およびおすすめ未来番組における放送局名が、全て異なる例について説明を行ったが、同じ放送局名の番組であってもよい。
【００４６】
また、図５に示すように、カラーキー２３のそれぞれに対応付けられた番組は、リモコンのカラーキー２３の配置順に対応させて配置されているが、配置順はこれに限定されない。また、図５に示すように、テレビ１は、おすすめ番組の情報を左に２つ表示し、おすすめ未来番組の情報を右に２つ表示しているが、おすすめ番組の情報およびおすすめ未来番組の情報の表示順、表示数、表示場所等はこれに限定されるものではない。
【００４７】
図３のＳ３２において、表示部１５には、例えば、図５に示すように、おすすめ番組Ａの情報、おすすめ番組Ｂの情報、おすすめ未来番組Ｃの情報およびおすすめ未来番組Ｄの情報が表示される。その後、ユーザが、カラーキー２３の何れかを押下すると、指示取得部１３１は、カラーキー２３の押下を検出する（Ｓ３３）。なお、図３においては、カラーキー２３のうち、おすすめ番組に対応付けられたキー（本実施形態においては、青キーまたは赤キー）が押下されることを例に説明を行うが、おすすめ番組に対応付けられたキーであれば、どの色であってもよい。
【００４８】
番組抽出部１３４は、指示取得部１３１からカラーキー２３の何れかが押下されたことを示す通知を受信すると、どのキーが押下されたかを判定する（Ｓ３４）。押下されたキーが青キーであるとき（Ｓ３４にて「青キー」）、番組抽出部１３４は、青キーに対応付けられたおすすめ番組Ａのチャンネルを選局するよう選局部１３２に指示する。選局部１３２は、番組抽出部１３４の指示に基づいて、チューナ１１に対し、選局指示を行う。そして、表示部１５は、選局された番組（おすすめ番組Ａ）を画面上に表示する（Ｓ３５）。
【００４９】
押下されたキーが赤キーであるとき（Ｓ３４にて「赤キー」）、番組抽出部１３４は、赤キーに対応付けられたおすすめ番組Ｂのチャンネルを選局するよう選局部１３２に指示する。選局部１３２は、番組抽出部１３４の指示に基づいて、チューナ１１に対し、選局指示を行う。そして、表示部１５は、選局された番組（おすすめ番組Ｂ）を画面上に表示する（Ｓ３６）。
【００５０】
このように、カラーキー２３の何れかを押下することにより、押下されたカラーキー２３に対応付けられた番組を選局（ダイレクト選局）することができる。
【００５１】
（おすすめ未来番組の表示方法）
次に、図４を参照しておすすめ未来番組の表示方法について説明を行う。図４は、おすすめ未来番組の表示の流れの一例を示すフローチャートである。なお、図４においては、カラーキー２３のうちおすすめ未来番組に対応付けられたキー（本実施形態においては、緑キーまたは黄キー）が押下されることを例に説明を行うが、おすすめ未来番組に対応付けられたキーであれば、どの色であってもよい。
【００５２】
図４において、Ｓ４１からＳ４３は、上述した図３におけるＳ３１からＳ３３と同じ処理であるため、説明を省略する。
【００５３】
Ｓ４３後、番組抽出部１３４は、指示取得部１３１からカラーキー２３の何れかが押下されたことを示す通知を受信すると、どのキーが押下されたかを判定する（Ｓ４４）。押下されたキーが緑キーであるとき（Ｓ４４にて「緑キー」）、番組抽出部１３４は、緑キーに対応付けられたおすすめ未来番組Ｃの番組説明と視聴予約の実行可否確認画面とを表示部１５に表示するようＯＳＤデータ作成部１３６に指示する。ＯＳＤデータ作成部１３６は、おすすめ未来番組Ｃの番組説明と視聴予約の実行可否確認画面とを作成し、表示部１５に表示させる（Ｓ４５）。
【００５４】
その後、番組抽出部１３４は、指示取得部１３１が視聴予約するか否かの指示を受け付けたかを確認する（Ｓ４６）。視聴予約する旨の指示を受け付けた場合（Ｓ４６にてＹＥＳ）、番組抽出部１３４は、予約処理部１３３に対し、おすすめ未来番組Ｃの視聴予約指示を通知する。そして、予約処理部１３３は、おすすめ未来番組Ｃの視聴予約を実行する（Ｓ４７）。
【００５５】
押下されたキーが黄キーであるとき（Ｓ４４にて「黄キー」）、番組抽出部１３４は、黄キーに対応付けられたおすすめ未来番組Ｄの番組説明と視聴予約の実行可否確認画面とを表示部１５に表示するようＯＳＤデータ作成部１３６に指示する。ＯＳＤデータ作成部１３６は、おすすめ未来番組Ｄの番組説明と視聴予約の実行可否確認画面とを作成し、表示部１５に表示させる（Ｓ４８）。
【００５６】
その後、番組抽出部１３４は、指示取得部１３１が視聴予約するか否かの指示を受け付けたかを確認する（Ｓ４９）。視聴予約する旨の指示を受け付けた場合（Ｓ４９にてＹＥＳ）、番組抽出部１３４は、予約処理部１３３に対し、おすすめ未来番組Ｄの視聴予約指示を通知する。そして、予約処理部１３３は、おすすめ未来番組Ｄの視聴予約を実行する（Ｓ５０）。
【００５７】
おすすめ未来番組Ｃの視聴予約の実行後（Ｓ４７後）、おすすめ未来番組Ｄの視聴予約の実行後（Ｓ５０後）、または視聴予約しない旨の指示を受け付けた場合（Ｓ４６にてＮＯまたはＳ４９にてＮＯ）、映像出力変換部１４は、視聴予約の確認画面を消去した画面を表示部１５に表示させる（Ｓ５１）。
【００５８】
なお、本実施形態において、ある番組を表示部１５の画面に表示しているときに、ユーザが選局ＵＰキー２１または選局ＤＯＷＮキー２２を押下すると、おすすめ番組および／またはおすすめ未来番組の情報が表示されることを例に説明を行ったが、テレビ１は、ユーザが１０キーを押下したとき、おすすめ番組および／またはおすすめ未来番組の情報を表示する構成であってもよい。つまり、テレビ１は、チャンネルを切り替える旨の指示をユーザから受け付けたときに、おすすめ番組および／またはおすすめ未来番組の情報を表示する構成である。
【００５９】
また、本実施形態において、おすすめ未来番組に対応付けられた色のキーが選択された場合、視聴予約をすることを例に説明を行ったが、本発明はこれに限定されず、録画予約を行ってもよい。
【００６０】
また、本実施形態において、番組抽出部１３４は、ユーザによって選局ＵＰキー２１または選局ＤＯＷＮキー２２が押下された後に推奨番組の抽出を行っているが、推奨番組を抽出するタイミングはこれに限定されるものではない。例えば、現在視聴している番組が開始されたときに、現在視聴している番組と同じ時間帯で放送している番組をおすすめ番組として予め抽出し、現在視聴している番組が終了後に放送される番組をおすすめ未来番組として予め抽出してもよい。また、例えば、所定時間ごとに推奨番組の抽出を行ってもよい。
【００６１】
また、本実施形態において、推奨番組として、現在放送されているおすすめ番組、および、今後放送予定のおすすめ未来番組を例に説明を行ったが、推奨番組はこれに限定されない。例えば、既に放送され、録画済みの番組（「おすすめ録画番組」と呼ぶ）であってもよい。
【００６２】
例えば、ある番組が表示部１５に表示されているときに、ユーザによって選局ＵＰキー２１または選局ＤＯＷＮキー２２が押下されると、番組抽出部１３４は、現在放送されている番組、放送予定の番組、および録画済みの番組の中から、推奨番組をカラーキー２３の複数のキーの少なくとも何れかに対応付けて抽出する。そして、表示部１５は、抽出された推奨番組を表示する。
【００６３】
そして、例えば、おすすめ録画番組を示す情報が表示部１５に表示されているとき、指示取得部１３１からおすすめ録画番組に対応付けられたキーが押下されると、番組抽出部１３４は、映像処理部１３５に対し、押下されたキーに対応付けられたおすすめ録画番組を表示するよう指示する。そして、映像処理部１３５は、上記おすすめ録画番組を、当該おすすめ録画番組が記録されている記憶装置（例えば、記録部１６）から取得し、表示部１５に表示させる。
【００６４】
このように、録画された番組であっても、テレビ１は、ユーザに対するおすすめ録画番組の情報を表示することができる。よって、ユーザは、容易にユーザ所望の録画番組を選択することができる。
【００６５】
（変形例１）
本実施形態において、リモコン２の４つのカラーキー２３のそれぞれを、おすすめ番組またはおすすめ未来番組に対応付けることを例に説明を行ったが、本発明はこれに限定されるものではない。例えば、黄キーをおすすめ番組、おすすめ未来番組またはおすすめ録画番組の何れを表示するモードかを切り替えるキーとし、青キー、赤キー、緑キーのそれぞれを、切り替えられたモードの番組に対応付けてもよい。
【００６６】
例えば、ある番組を表示中に、ユーザによって、選局ＵＰキー２１または選局ＤＯＷＮキー２２が押下されると、テレビ１は、青キー、赤キー、緑キーのそれぞれに対応付けられた３つのおすすめ番組の情報を表示する。その後、ユーザによって黄キーが押下されると、テレビ１は、青キー、赤キー、緑キーのそれぞれに対応付けられた３つのおすすめ未来番組の情報を表示する。更に、ユーザによって黄キーが押下されると、テレビ１は、青キー、赤キー、緑キーのそれぞれに対応付けられた３つのおすすめ録画番組の情報を表示する。このように、おすすめ番組、おすすめ未来番組およびおすすめ録画番組の情報の表示を、黄キーを押すことで切り替えるようにしてもよい。
【００６７】
（変形例２）
また、テレビ１は、推奨番組の情報が表示部１５に表示されているときに、番組抽出部（長押し判定手段）１３４が各番組に対応付けられたカラーキー２３の何れかの長押しを検知すると、長押しされたキーに対応付けられた番組の番組情報を詳細に表示部１５に表示する構成であってもよい。
【００６８】
ここで、カラーキーが長押しされたか否かは、当該キーが所定の時間以上継続して押下されたか否かによって判定することができる。
【００６９】
（変形例３）
また、テレビ１は、推奨番組の情報が表示部１５に表示されているときに、番組抽出部（長押し判定手段）１３４がカラーキー２３の何れかの長押しを検知すると、情報が表示されている推奨番組の次に推奨する番組の情報を表示部１５に表示する構成であってもよい。
【００７０】
ここで、「情報が表示されている推奨番組の次に推奨する番組」とは、おすすめ順で、当該推奨番組の次の順番を有している番組のことを指す。
【００７１】
（変形例４）
また、テレビ１は、例えば、推奨番組を、青キー、赤キー、緑キーのそれぞれに対応付け、黄キーに、ユーザの視聴履歴、録画履歴または録画リストを対応付けてもよい。これにより、ユーザが黄キーを押下すると、テレビ１は、当該ユーザの視聴履歴、録画履歴または録画リストを表示することができる。
【００７２】
このように、本実施形態にかかるテレビ１は、ユーザからの指示を受け付ける指示取得部１３１と、現在放送されている番組、放送予定の番組および録画済みの番組の中から、ユーザに対する推奨番組をリモコンが備える複数のカラーキーの少なくとも何れかに対応付けて抽出する番組抽出部１３４と、指示取得部１３１がチャンネルを切り替える旨の指示をユーザから受け付けたとき、番組抽出部１３４が抽出した推奨番組を示す情報を表示する表示部１５と、を備えている。
【００７３】
上記構成によれば、ユーザがチャンネルを切り替える指示をテレビ１に対して行うと、テレビ１は、当該ユーザに対する推奨番組の情報を表示する。これにより、ユーザは、当該ユーザに対する推奨番組を簡単に把握することができる。また、ユーザが所望の番組が推奨番組に含まれている場合、ユーザは所望の番組を検索するという手間を省くことができる。よって、ユーザは容易にユーザ所望の番組を選択することができる。
【００７４】
また、表示部１５に推奨番組の情報が表示されているときに、リモコン２のカラーキー２３のうち何れかが押下されると、番組抽出部１３４は、押下されたキーに対応付けられた番組に対する処理を行う。押下されたキーに対応付けられた番組がおすすめ番組またはおすすめ録画番組である場合、番組抽出部１３４は、表示部１５に当該おすすめ番組またはおすすめ録画番組を表示させる。また、押下されたキーに対応付けられた番組がおすすめ未来番組である場合、番組抽出部１３４は、当該おすすめ未来番組の視聴予約および録画予約の少なくとも何れかを行うよう予約処理部１３３に指示する。
【００７５】
このように、ユーザに対する推奨番組の情報を画面に表示しているときに、ユーザがカラーキー２３の何れかを選択するだけで、テレビ１は、押下されたキーに対応付けられた推奨番組の表示または予約の処理を行う。これにより、ユーザは、容易にユーザの所望の番組の視聴または予約を行うことができる。
【００７６】
〔実施形態２〕
本発明の他の実施形態について、図７〜図９に基づいて説明すれば、以下のとおりである。本実施形態に係るテレビ１’がテレビ１と異なる点は、映像のジャンルを示すジャンル情報を取得するジャンル取得部を備えている点である。以下では相違点についてのみ説明を行い、上記実施形態にて説明した部材と同じ機能を有する部材については、同じ符号を付記し、その説明を省略する。
【００７７】
（テレビの構成）
図７は、本発明の他の実施形態に係るテレビ（表示装置）の構成を示すブロック図である。テレビ１’は、図７に示すように、チューナ１１、リモコン受光部１２、制御部１３’、映像出力変換部１４、表示部（表示手段）１５および記録部１６を備えている。また、テレビ１’は、リモコン２からのリモコン信号を受信可能に構成されている。
【００７８】
（制御部１３’）
制御部１３’は、図７に示すように、指示取得部（指示受付手段）１３１、選局部１３２、予約処理部１３３、番組抽出部（抽出手段、判定手段）１３４、映像処理部１３５、ＯＳＤデータ作成部１３６およびジャンル取得部（ジャンル情報取得手段）１３７を備えている。
【００７９】
ジャンル取得部１３７は、チューナ１１を介して受信した映像信号からジャンル情報を取得する手段である。なお、ジャンル情報を取得する方法としては、映像信号がデジタル放送である場合、ＥＰＧデータに含まれるジャンル情報を取得する方法、また、映像信号の特徴からジャンル情報を取得する方法などが挙げられる。ジャンル取得部１３７は、取得したジャンル情報を、番組抽出部１３４に通知する。
【００８０】
ここで、ジャンル情報とは、映像のジャンルを示す情報である。ジャンル情報としては、例えば、「ニュース」、「スポーツ」、「ドラマ」、「音楽」、「バラエティ」、「映画」などが挙げられるがこれに限定されるものではない。
【００８１】
番組抽出部１３４は、ジャンル取得部１３７から通知されたジャンル情報から、当該ジャンル情報と同じジャンル情報を有したおすすめ番組およびおすすめ未来番組を抽出し、抽出した番組を示す情報をＯＳＤデータ作成部１３６に供給する。
【００８２】
（おすすめ番組の表示方法）
次に、図８を参照しておすすめ番組の表示方法について説明を行う。図８は、おすすめ番組の表示の流れの一例を示すフローチャートである。
【００８３】
図８では、テレビ１’が、例えば、映画の番組を表示部１５の画面に表示しているとする。ジャンル取得部１３７は、表示部１５が表示している番組のジャンルを示すジャンル情報（図８の例の場合、「映画」）を取得している。
【００８４】
テレビ１’が映画の番組を表示部１５に表示しているときに、指示取得部１３１がリモコン２の何れかのキーの押下を検出する（Ｓ７０１）と、番組抽出部１３４は、どのキーが押下されたのかを確認する（Ｓ７０２）。押下されたキーが選局ＵＰキー２１および選局ＤＯＷＮキー２２以外のキーである場合（Ｓ７０２にて「選局ＵＰキー、選局ＤＯＷＮキー以外」）、テレビ１’はそれぞれのキーに応じた処理を実行する（Ｓ７０３）。
【００８５】
押下されたキーが選局ＵＰキー２１または選局ＤＯＷＮキー２２である場合（Ｓ７０２にて「選局ＵＰキーｏｒ選局ＤＯＷＮキー」）、番組抽出部１３４は、現在放送されている番組および放送予定の番組の中から、ジャンル情報が「映画」のおすすめ番組およびおすすめ未来番組を、カラーキー２３の複数のキーの少なくとも何れかに対応付けて抽出する。その後、ＯＳＤデータ作成部１３６は、番組抽出部１３４が抽出したおすすめ番組およびおすすめ未来番組の情報を、表示部１５に表示させるためのＯＳＤデータを作成し、映像出力変換部１４に作成したＯＳＤデータを送信する。映像出力変換部１４は、映像データに受信したＯＳＤデータを加えて、表示部１５に表示させる（Ｓ７０４）。
【００８６】
ここで、表示部１５には、「映画」のジャンル情報を有したおすすめ番組Ａ’の情報と「映画」のジャンル情報を有したおすすめ番組Ｂ’の情報とが、少なくとも表示されているとし、おすすめ番組Ａ’には、青キーが対応付けられており、おすすめ番組Ｂ’には、赤キーが対応付けられているとする。
【００８７】
ユーザが、選局ＵＰキー２１、選局ＤＯＷＮキー２２またはカラーキー２３の何れか、を押下すると、指示取得部１３１は、キーの押下を検出する（Ｓ７０５）。なお、図８においては、カラーキー２３のうちおすすめ番組に対応付けられたキー（本実施形態においては、青キーまたは赤キー）が押下されることを例に説明を行うが、おすすめ番組に対応付けられたキーであれば、どの色であってもよい。
【００８８】
番組抽出部１３４は、どのキーが押下されたのかを確認する（Ｓ７０６）。押下されたキーが青キーであるとき（Ｓ７０６にて「青キー」）、番組抽出部１３４は、ジャンルが「映画」のおすすめ番組であって、青キーに対応付けられたおすすめ番組Ａ’のチャンネルを選局するよう選局部１３２に指示する。選局部１３２は、番組抽出部１３４の指示に基づいて、チューナ１１に対し、選局指示を行う。表示部１５は、選局された番組（おすすめ番組Ａ’）を画面上に表示する（Ｓ７０７）。
【００８９】
押下されたキーが赤キーであるとき（Ｓ７０６にて「赤キー」）、番組抽出部１３４は、ジャンルが「映画」のおすすめ番組であって、赤キーに対応付けられたおすすめ番組Ｂ’のチャンネルを選局するよう選局部１３２に指示する。選局部１３２は、番組抽出部１３４の指示に基づいて、チューナ１１に対し、選局指示を行う。表示部１５は、選局された番組（おすすめ番組Ｂ’）を画面上に表示する（Ｓ７０８）。
【００９０】
押下されたキーが選局ＵＰキー２１または選局ＤＯＷＮキー２２である場合（Ｓ７０６にて「選局ＵＰキーｏｒ選局ＤＯＷＮキー」）、番組抽出部１３４は、全てのジャンルのおすすめ番組およびおすすめ未来番組を抽出する。その後、ＯＳＤデータ作成部１３６は、番組抽出部１３４が抽出したおすすめ番組およびおすすめ未来番組の情報を表示部１５に表示させるためのＯＳＤデータを作成し、映像出力変換部１４に作成したＯＳＤデータを送信する。映像出力変換部１４は、映像データに受信したＯＳＤデータを加えて、表示部１５に表示させる（Ｓ７０９）。
【００９１】
ここで、表示部１５には、おすすめ番組Ａの情報、おすすめ番組Ｂの情報、おすすめ未来番組Ｃの情報、おすすめ未来番組Ｄの情報が表示されているとし、おすすめ番組Ａには、リモコン２のカラーキー２３の青キーが対応付けられており、おすすめ番組Ｂには、赤キーが対応付けられているとする。また、おすすめ未来番組Ｃには、緑キーが対応付けられており、おすすめ未来番組Ｄには黄キーが対応付けられているとする。
【００９２】
その後、指示取得部１３１は、キーの押下を所定の時間（例えば、６秒）経過する前に検出したか否かを確認する（Ｓ７１０）。所定の時間が経過した場合（Ｓ７１０にてＹＥＳ）、映像出力変換部１４は、視聴予約の確認画面を消去した画面を表示部１５に表示させる（Ｓ７１１）。
【００９３】
一方、所定の時間が経過していない場合、つまり、所定の時間が経過する前にキーの押下を検出した場合（Ｓ７１０にてＮＯ）、番組抽出部１３４は、どのキーが押下されたのかを判定する（Ｓ７１２）。なお、図８においては、カラーキー２３のうち、おすすめ番組に対応付けられたキー（本実施形態においては、青キーまたは赤キー）が押下されることを例に説明を行うが、おすすめ番組に対応付けられたキーであれば、どの色であってもよい。
【００９４】
押下されたキーが青キーであるとき（Ｓ７１２にて「青キー」）、番組抽出部１３４は、青キーに対応付けられたおすすめ番組Ａのチャンネルを選局するよう選局部１３２に指示する。選局部１３２は、番組抽出部１３４の指示に基づいて、チューナ１１に対し、選局指示を行う。表示部１５は、選局された番組（おすすめ番組Ａ）を画面上に表示する（Ｓ７１３）。
【００９５】
押下されたキーが赤キーであるとき（Ｓ７１２にて「赤キー」）、番組抽出部１３４は、赤キーに対応付けられたおすすめ番組Ｂのチャンネルを選局するよう選局部１３２に指示する。選局部１３２は、番組抽出部１３４の指示に基づいて、チューナ１１に対し、選局指示を行う。表示部１５は、選局された番組（おすすめ番組Ｂ）を画面上に表示する（Ｓ７１４）。
【００９６】
（おすすめ未来番組の表示方法）
次に、図９を参照しておすすめ未来番組の表示方法について説明を行う。図９は、おすすめ未来番組の表示の流れの一例を示すフローチャートである。
【００９７】
図９では、テレビ１’が、例えば、サッカーの番組を表示部１５の画面に表示しているとする。ジャンル取得部１３７は、表示部１５が表示している番組のジャンルを示すジャンル情報（図９の例の場合、「スポーツ」）を取得している。
【００９８】
図９において、Ｓ８０１からＳ８０３は、上述した図８におけるＳ７０１からＳ７０３と同じ処理であるため、説明を省略する。
【００９９】
Ｓ８０２において、押下されたキーが選局ＵＰキー２１または選局ＤＯＷＮキー２２のキーである場合（Ｓ８０２にて「選局ＵＰキーｏｒ選局ＤＯＷＮキー」）、番組抽出部１３４は、番組抽出部１３４は、現在放送されている番組および放送予定の番組の中から、ジャンル情報が「スポーツ」のおすすめ番組およびおすすめ未来番組を、カラーキー２３の複数のキーの少なくとも何れかに対応付けて抽出する。その後、ＯＳＤデータ作成部１３６は、番組抽出部１３４が抽出したおすすめ番組およびおすすめ未来番組の情報を表示部１５に表示させるためのＯＳＤデータを作成し、映像出力変換部１４に作成したＯＳＤデータを送信する。映像出力変換部１４は、映像データに受信したＯＳＤデータを加えて、表示部１５に表示させる（Ｓ８０４）。
【０１００】
ここで、表示部１５には、「スポーツ」のジャンル情報を有したおすすめ未来番組Ｃ’の情報と「スポーツ」のジャンル情報を有したおすすめ未来番組Ｄ’の情報とが、少なくとも表示されているとし、おすすめ未来番組Ｃ’には、緑キーが対応付けられており、おすすめ未来番組Ｄ’には、黄キーが対応付けられているとする。
【０１０１】
ユーザが、選局ＵＰキー２１、選局ＤＯＷＮキー２２またはカラーキー２３の何れか、を押下すると、指示取得部１３１は、キーの押下を検出する（Ｓ８０５）。なお、図９においては、カラーキー２３のうちおすすめ未来番組に対応付けられたキー（本実施形態においては、緑キーまたは黄キー）が押下されることを例に説明を行うが、おすすめ未来番組に対応付けられたキーであれば、どの色であってもよい。
【０１０２】
番組抽出部１３４は、どのキーが押下されたのかを判定する（Ｓ８０６）。押下されたキーが緑キーであるとき（Ｓ８０６にて「緑キー」）、番組抽出部１３４は、ジャンルが「スポーツ」のおすすめ未来番組であって、緑キーに対応付けられたおすすめ未来番組Ｃ’の番組説明と視聴予約の実行可否確認画面とを表示部１５に表示するようＯＳＤデータ作成部１３６に指示する。ＯＳＤデータ作成部１３６は、おすすめ未来番組Ｃ’の番組説明と視聴予約の実行可否確認画面とを作成し、表示部１５に表示させる（Ｓ８０７）。
【０１０３】
その後、番組抽出部１３４は、指示取得部１３１が視聴予約するか否かの指示を受け付けたかを確認する（Ｓ８０８）。視聴予約する旨の指示を受け付けた場合（Ｓ８０８にてＹＥＳ）、番組抽出部１３４は、予約処理部１３３に対し、おすすめ未来番組Ｃ’の視聴予約指示を通知する。そして、予約処理部１３３は、おすすめ未来番組Ｃ’の視聴予約を実行する（Ｓ８０９）。
【０１０４】
押下されたキーが黄キーであるとき（Ｓ８０６にて「黄キー」）、番組抽出部１３４は、ジャンルが「スポーツ」のおすすめ未来番組であって、黄キーに対応付けられたおすすめ未来番組Ｄ’の番組説明と視聴予約の実行可否確認画面とを表示部１５に表示するようＯＳＤデータ作成部１３６に指示する。ＯＳＤデータ作成部１３６は、おすすめ未来番組Ｄの番組説明と視聴予約の実行可否確認画面とを作成し、表示部１５に表示させる（Ｓ８１０）。
【０１０５】
その後、番組抽出部１３４は、指示取得部１３１が視聴予約するか否かの指示を受け付けたかを確認する（Ｓ８１１）。視聴予約する旨の指示を受け付けた場合（Ｓ８１１にてＹＥＳ）、番組抽出部１３４は、予約処理部１３３に対し、おすすめ未来番組Ｄ’の視聴予約指示を通知する。そして、予約処理部１３３は、おすすめ未来番組Ｄ’の視聴予約を実行する（Ｓ８１２）。
【０１０６】
おすすめ未来番組Ｃ’の視聴予約の実行後（Ｓ８０９後）、おすすめ未来番組Ｄ’の視聴予約の実行後（Ｓ８１２後）、または視聴予約しない旨の指示を受け付けた場合（Ｓ８０８にてＮＯまたはＳ８１１にてＮＯ）、映像出力変換部１４は、視聴予約の確認画面を消去した画面を表示部１５に表示させる（Ｓ８１３）。
【０１０７】
押下されたキーが選局ＵＰキー２１または選局ＤＯＷＮキー２２のキーである場合（Ｓ８０６にて「選局ＵＰキーｏｒ選局ＤＯＷＮキー」）、番組抽出部１３４は、全てのジャンルのおすすめ番組およびおすすめ未来番組を抽出する。その後、ＯＳＤデータ作成部１３６は、番組抽出部１３４が抽出したおすすめ番組およびおすすめ未来番組の情報を表示部１５に表示させるためのＯＳＤデータを作成し、映像出力変換部１４に作成したＯＳＤデータを送信する。映像出力変換部１４は、映像データに受信したＯＳＤデータを加えて、表示部１５に表示させる（Ｓ８１４）。
【０１０８】
ここで、表示部１５には、おすすめ番組Ａの情報、おすすめ番組Ｂの情報、おすすめ未来番組Ｃの情報、おすすめ未来番組Ｄの情報が表示されているとし、おすすめ番組Ａには、リモコン２のカラーキー２３の青キーが対応付けられており、おすすめ番組Ｂには、赤キーが対応付けられているとする。また、おすすめ未来番組Ｃには、緑キーが対応付けられており、おすすめ未来番組Ｄには黄キーが対応付けられているとする。
【０１０９】
その後、指示取得部１３１は、キーの押下を所定の時間（例えば、６秒）経過する前に検出したか否かを確認する（Ｓ８１５）。所定の時間が経過した場合（Ｓ８１５にてＹＥＳ）、映像出力変換部１４は、視聴予約の確認画面を消去した画面を表示部１５に表示させる（Ｓ８１６）。
【０１１０】
一方、所定の時間が経過していない場合、つまり、所定の時間が経過する前にキーの押下を検出した場合（Ｓ８１５にてＮＯ）、番組抽出部１３４は、どのキーが押下されたのかを判定する（Ｓ８１７）。なお、図９においては、カラーキー２３のうちおすすめ未来番組に対応付けられたキー（本実施形態においては、緑キーまたは黄キー）が押下されることを例に説明を行うが、おすすめ未来番組に対応付けられたキーであれば、どの色であってもよい。
【０１１１】
押下されたキーが緑キーであるとき（Ｓ８１７にて「緑キー」）、番組抽出部１３４は、緑キーに対応付けられたおすすめ未来番組Ｃの番組説明と視聴予約の実行可否確認画面とを表示部１５に表示するようＯＳＤデータ作成部１３６に指示する。ＯＳＤデータ作成部１３６は、おすすめ未来番組Ｃの番組説明と視聴予約の実行可否確認画面とを作成し、表示部１５に表示させる（Ｓ８１８）。
【０１１２】
その後、番組抽出部１３４は、指示取得部１３１が視聴予約するか否かの指示を受け付けたかを確認する（Ｓ８１９）。視聴予約する旨の指示を受け付けた場合（Ｓ８１９にてＹＥＳ）、番組抽出部１３４は、予約処理部１３３に対し、おすすめ未来番組Ｃの視聴予約指示を通知する。そして、予約処理部１３３は、おすすめ未来番組Ｃの視聴予約を実行する（Ｓ８２０）。
【０１１３】
押下されたキーが黄キーであるとき（Ｓ８１７にて「黄キー」）、番組抽出部１３４は、黄キーに対応付けられたおすすめ未来番組Ｄの番組説明と視聴予約の実行可否確認画面とを表示部１５に表示するようＯＳＤデータ作成部１３６に指示する。ＯＳＤデータ作成部１３６は、おすすめ未来番組Ｄの番組説明と視聴予約の実行可否確認画面とを作成し、表示部１５に表示させる（Ｓ８２１）。
【０１１４】
その後、番組抽出部１３４は、指示取得部１３１が視聴予約するか否かの指示を受け付けたかを確認する（Ｓ８２２）。視聴予約する旨の指示を受け付けた場合（Ｓ８２２にてＹＥＳ）、番組抽出部１３４は、予約処理部１３３に対し、おすすめ未来番組Ｄの視聴予約指示を通知する。そして、予約処理部１３３は、おすすめ未来番組Ｄの視聴予約を実行する（Ｓ８２３）。
【０１１５】
おすすめ未来番組Ｃの視聴予約の実行後（Ｓ８２０後）、おすすめ未来番組Ｄの視聴予約の実行後（Ｓ８２３後）、または視聴予約しない旨の指示を受け付けた場合（Ｓ８１９にてＮＯまたはＳ８２２にてＮＯ）、映像出力変換部１４は、視聴予約の確認画面を消去した画面を表示部１５に表示させる（Ｓ８２４）。
【０１１６】
なお、本実施形態では、上述した実施形態１と同様に、テレビ１’は、ユーザが１０キーを押下したときに、おすすめ番組および／またはおすすめ未来番組の情報を表示する構成であってもよい。
【０１１７】
また、おすすめ未来番組に対応付けられた色のキーが選択された場合、視聴予約をすることを例に説明を行ったが、テレビ１’は、録画予約を行ってもよい。
【０１１８】
また、番組抽出部１３４は、上述した実施形態１と同様に、ユーザによって選局ＵＰキー２１または選局ＤＯＷＮキー２２が押下された後に推奨番組の抽出を行っているが、推奨番組を抽出するタイミングはこれに限定されるものではない。例えば、現在視聴している番組が開始されたときに、現在視聴している番組と同じ時間帯で放送している番組をおすすめ番組として予め抽出し、現在視聴している番組が終了後に放送される番組をおすすめ未来番組として予め抽出してもよい。また、例えば、所定時間ごとに推奨番組の抽出を行ってもよい。
【０１１９】
また、推奨番組は、現在放送されているおすすめ番組、および、今後放送予定のおすすめ未来番組だけでなく、例えば、既に放送され、録画済みのおすすめ録画番組であってもよい。
【０１２０】
以上のように、本実施形態に係るテレビ１’は、ジャンル取得部１３７が取得したジャンル情報と同じジャンル情報を有した番組であって、現在放送されている番組、放送予定の番組、および録画済みの番組の中から、ユーザに対する推奨番組をリモコンが備える複数のカラーキーの少なくとも何れかに対応付けて抽出する。
【０１２１】
上記の構成によれば、テレビ１’は、表示部１５が表示している番組のジャンルと同じジャンルの推奨番組の情報を表示する。これにより、テレビ１’がより好適にユーザ所望の番組の情報を表示することができる。したがって、ユーザは、より容易にユーザ所望の番組を選択することができる。
【０１２２】
〔まとめ〕
本発明の一態様に係る表示装置（テレビ１、１’）は、ユーザからの指示を受け付ける指示受付手段（指示取得部１３１）と、現在放送されている番組、放送予定の番組、および録画済みの番組の中から、ユーザに対する推奨番組をリモコンが備える複数のカラーキーの少なくとも何れかに対応付けて抽出する抽出手段（番組抽出部１３４）と、上記指示受付手段がチャンネルを切り替える旨の指示をユーザから受け付けたとき、上記抽出手段によって抽出した推奨番組を示す情報を表示する表示手段（表示部１５）と、を備えていることを特徴としている。
【０１２３】
上記構成によれば、ユーザがチャンネルを切り替える指示を上記表示装置に対して行うと、上記表示装置は、当該ユーザに対する推奨番組を表示する。これにより、ユーザは、当該ユーザに対する推奨番組を簡単に把握することができる。また、ユーザが所望の番組が推奨番組に含まれている場合、ユーザは所望の番組を検索するという手間を省くことができる。よって、ユーザは容易にユーザ所望の番組を選択することができる。
【０１２４】
さらに、本発明の一態様に係る表示装置は、上記表示手段が上記推奨番組を示す情報を表示しているとき、リモコンのカラーキーのうち何れが押下されたのかを判定する判定手段（番組抽出部１３４）を更に備え、上記判定手段は、押下されたカラーキーに対応付けられた推奨番組が現在放送されている番組または録画済みの番組である場合、当該番組を上記表示手段に表示させ、押下されたカラーキーに対応付けられた推奨番組が放送予定の番組である場合、当該番組の視聴予約および録画予約の少なくとも何れかを行うことが好ましい。
【０１２５】
上記の構成によれば、ユーザに対する推奨番組の情報を画面に表示しているとき、ユーザがカラーキーの何れかを選択するだけで、上記表示装置は、押下されたカラーキーに対応付けられた推奨番組の表示または視聴予約および録画予約の少なくとも何れかの処理を行う。これにより、ユーザは、容易にユーザの所望の番組の視聴または予約を行うことができる。
【０１２６】
さらに、本発明の一態様に係る表示装置は、上記表示手段が表示している番組のジャンルを示すジャンル情報を取得するジャンル情報取得手段（ジャンル取得部１３７）を更に備え、上記抽出手段は、上記ジャンル情報取得手段が取得したジャンル情報と同じジャンル情報を有した番組であって、現在放送されている番組、放送予定の番組、および録画済みの番組の中から、ユーザに対する推奨番組をリモコンが備える複数のカラーキーの少なくとも何れかに対応付けて抽出することが好ましい。
【０１２７】
上記の構成によれば、上記表示装置は、上記表示手段が表示している番組のジャンルと同じジャンルの推奨番組の情報を表示する。これにより、上記表示装置がより好適にユーザ所望の番組の情報を表示することができる。したがって、ユーザは、より容易にユーザ所望の番組を選択することができる。
【０１２８】
さらに、本発明の一態様に係る表示装置は、上記表示手段が、上記ジャンル情報取得手段が取得したジャンル情報と同じジャンル情報を有した番組であって、上記抽出手段が抽出した推奨番組を示す情報を表示しているときに、上記指示受付手段が、チャンネルを切り替える旨の指示をユーザから受け付けた場合、上記抽出手段は、現在放送されている番組、放送予定の番組、および録画済みの番組の中から、ユーザに対する推奨番組をリモコンが備える複数のカラーキーの少なくとも何れかに対応付けて抽出する構成であってもよい。
【０１２９】
上記の構成によれば、上記表示装置は、上記表示手段が表示している番組のジャンルと同じジャンルの推奨番組の情報を表示した後、更に、ユーザからチャンネルを切り替える旨の指示をユーザから受け付けると、全てのジャンルの推奨番組の情報を表示することができる。
【０１３０】
さらに、本発明の一態様に係る表示装置の上記抽出手段は、リモコンが備える複数のカラーキーの何れか１つを、現在放送されている推奨番組、放送予定の推奨番組、および録画済みの推奨番組の何れを表示するモードかを切り替えるモード切替キーとして割り当て、上記モード切替キーの押下によって、現在放送されている推奨番組を表示するモードに切り替えられたとき、現在放送されている番組の中からユーザに対する推奨番組を、上記モード切替キーとして割り当てたカラーキー以外の複数のカラーキーのうちの少なくとも何れかに対応付けて抽出し、上記モード切替キーの押下によって、放送予定の推奨番組を表示するモードに切り替えられたとき、放送予定の番組の中からユーザに対する推奨番組を、上記モード切替キーとして割り当てたカラーキー以外の複数のカラーキーのうちの少なくとも何れかに対応付けて抽出し、上記モード切替キーの押下によって、録画済みの推奨番組を表示するモードに切り替えられたとき、録画済みの番組の中からユーザに対する推奨番組を、上記モード切替キーとして割り当てたカラーキー以外の複数のカラーキーのうちの少なくとも何れかに対応付けて抽出する構成であってもよい。
【０１３１】
上記構成によれば、表示装置は、現在放送されている番組、放送予定の番組、および録画済みの番組の何れかにおける推奨番組を表示することができる。よって、表示装置は、より好適に、ユーザ所望の番組を表示することができる。したがって、ユーザはより容易にユーザ所望の番組を選択することができる。
【０１３２】
さらに、本発明の一態様に係る表示装置は、上記表示手段が上記推奨番組を示す情報を表示しているとき、リモコンのカラーキーのうち何れが長押しされたのかを判定する長押し判定手段を更に備え、上記長押し判定手段によって長押しされたと判定されたとき、上記表示手段は、長押しされたカラーキーに対応付けられた推奨番組に対する番組情報を表示する構成であってもよい。
【０１３３】
上記構成によれば、ユーザは容易にユーザ所望の番組の情報を閲覧することができる。
【０１３４】
さらに、本発明の一態様に係る表示装置は、上記表示手段が上記推奨番組を示す情報を表示しているとき、リモコンのカラーキーのうち何れが長押しされたのかを判定する長押し判定手段を更に備え、上記長押し判定手段によって長押しされたと判定されたとき、上記表示手段は、情報を表示した推奨番組の次に推奨する推奨番組の情報を表示する構成であってもよい。
【０１３５】
上記構成によれば、表示手段にユーザ所望の番組が表示されていなかった場合であっても、ユーザは容易に次の推奨番組を確認することができる。
【０１３６】
本発明の一態様に係る表示装置の制御方法は、ユーザからの指示を受け付ける指示受付工程と、現在放送されている番組、放送予定の番組、および録画済みの番組の中から、ユーザに対する推奨番組をリモコンが備える複数のカラーキーの少なくとも何れかに対応付けて抽出する抽出工程と、上記指示受付工程においてチャンネルを切り替える旨の指示をユーザから受け付けたとき、上記抽出工程において抽出した推奨番組を示す情報を表示する表示工程と、を含んでいることを特徴としている。
【０１３７】
上記構成によれば、本発明の一様態にかかる表示装置と同様の効果を奏する。
【０１３８】
また、上記表示装置を備えたテレビジョン受像機、上記表示装置を動作させるためのプログラム、および、そのようなプログラムが記録された記録媒体も、本発明の範疇に含まれる。
【０１３９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１４０】
〔ソフトウェアによる実現例〕
最後に、テレビ１およびテレビ１’の各ブロック、特に制御部１３および制御部１３’は、集積回路（ＩＣチップ）上に形成された論理回路によってハードウェア的に実現してもよいし、ＣＰＵ（Central Processing Unit）を用いてソフトウェア的に実現してもよい。
【０１４１】
後者の場合、テレビ１およびテレビ１’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１およびテレビ１’の制御プログラムのプログラムコード（実行形式プログラム、中間コードプログラム、ソースプログラム）をコンピュータで読み取り可能に記録した記録媒体を、上記テレビ１およびテレビ１’に供給し、そのコンピュータ（またはＣＰＵやＭＰＵ）が記録媒体に記録されているプログラムコードを読み出し実行することによっても、達成可能である。
【０１４２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１４３】
また、テレビ１およびテレビ１’を通信ネットワークと接続可能に構成し、上記プログラムコードを、通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４４】
本発明は、多チャンネルを受信可能なテレビジョン受像機等の表示装置に好適に利用可能である。
【符号の説明】
【０１４５】
１、１’  テレビ（表示装置）
１１  チューナ
１２  リモコン受光部
１３、１３’  制御部
１３１  指示取得部（指示受付手段）
１３２  選局部
１３３  予約処理部
１３４  番組抽出部（抽出手段、判定手段、長押し判定手段）
１３５  映像処理部
１３６  ＯＳＤデータ作成部
１３７  ジャンル取得部（ジャンル情報取得手段）
１４  映像出力変換部
１５  表示部（表示手段）
１６  記録部
２  リモートコントローラ（リモコン）
２１  選局ＵＰキー
２２  選局ＤＯＷＮキー
２３  カラーキー
【図１】
2014072584.tif 000003
【図２】
2014072584.tif 000004
【図３】
2014072584.tif 000005
【図４】
2014072584.tif 000006
【図５】
2014072584.tif 000007
【図６】
2014072584.tif 000008
【図７】
2014072584.tif 000009
【図８】
2014072584.tif 000010
【図９】
2014072584.tif 000011